(57)【要約】【課題】  杖、釣竿、ストックなどの棒状体を確実、迅速、簡易かつ容易に収納してバンドに装着でき、かつ棒状体の取り外しも迅速かつ簡単に行なえて、両手を自由に使用することのできるホルダーを提供する。【解決手段】  両端面同士を互いに着脱可能とする留具を有する折り曲げ自在の面材を両端面が重なり合うように内側に三つ折りしてなる両側端開放中空状の棒状体用収納部と、該棒状体用収納部の外面をなす面材外面に固設したバンドへの係止部とを備えた、杖、釣竿やストックなどの棒状体を収納してベルトに保持するホルダーである。棒状体用収納部は、留具を互いに着脱して両端面を開閉可能とすることにより、両側端開放中空状の面材の内側に棒状体を収納し、かつ、離脱させることができるように構成されている。【選択図】  図４
0003116038.tif 000002
【実用新案登録請求の範囲】
【請求項１】
両端面同士を互いに着脱可能とする留具を有する折り曲げ自在の面材を両端面が重なり合うように内側に三つ折りしてなる両側端開放中空状の棒状体用収納部と、該棒状体用収納部の外面をなす面材外面に固設したバンドへの係止部とを備えてなり、前記棒状体用収納部が、留具を互いに着脱して両端面を開閉可能とすることにより、両側端開放中空状の面材の内側に棒状体を収納し、かつ、離脱させることができるように構成したこと、を特徴とするホルダー。
【請求項２】
両端面同士を互いに着脱可能とする留具及び中間に位置する端面と中央面のそれぞれの一部を互いに着脱可能とする留具を有する折り曲げ自在の面材を、両端面が重なり合うように内側に三つ折りしてなる２つの両側端開放中空状の棒状体用収納部と、該棒状体用収納部の外面をなす面材外面に固設したバンドへの係止部とを備えてなり、前記の２つの棒状体用収納部が、両端面の留具及び中間に位置する端面と中央面の留具を互いに着脱して両端面を開閉可能とすることにより、両端面間の両側端開放中空状の空間及び中間に位置する端面と中央面との間の両側端開放中空状の空間にそれぞれ棒状体を収納し、かつ、離脱させることができるように構成したこと、を特徴とするホルダー。
【請求項３】
前記のバンドへの係止部が、棒状体用収納部の外面をなす面材外面に、棒状体がバンドに対して傾斜した状態で収納部に収納されるように固設された係止部である、請求項１又は２に記載のホルダー。
【請求項４】
前記のバンドへの係止部が、棒状体用収納部の外面をなす面材の中央面の外面に、棒状体がバンドに対して傾斜した状態で収納部に収納されるように固設されたバンド通し部である、請求項１又は２に記載のホルダー。
【請求項５】
前記留具が一対の面ファスナーである、請求項１〜４のいずれか一項に記載のホルダー。
【請求項６】
前記留具が雄と雌で一対をなすホックである、請求項１〜４のいずれか一項に記載のホルダー。
【請求項７】
前記収納部の内面に、更に滑り止めシートを設けてなる、請求項１〜６のいずれか一項に記載のホルダー。
【請求項８】
前記棒状体が杖である、請求項１〜７のいずれか一項に記載のホルダー。
【請求項９】
前記棒状体が釣竿である、請求項１〜７のいずれか一項に記載のホルダー。
【請求項１０】
前記棒状体がストックである、請求項１〜７のいずれか一項に記載のホルダー。
【考案の詳細な説明】
【技術分野】
【０００１】
本考案は、杖、釣竿やストックなどの棒状体を収納して腰のバンドに保持するホルダーに関する。
【背景技術】
【０００２】
山岳遭難事故の原因には、登山者の無知に起因するものや登山中の突発的な原因によるものもあるが、最近、ストックなどの誤った使用に起因するものが増えて来ている。具体的には例えば、近年、中高年層の登山ではストックや杖を使用する登山者が多くなっているが、岩場でストックなどを使用して通過しようとすると、転落や滑落などの事故が起きやすいので、岩場ではストックなどは使用せず、例えばザックに固定し、両手をいつでも自由に使用できる状態で通過するのが安全である。また、渓流釣りなどで不安定な岩場などを通過しようとする際も、釣竿を手に持ったままでは転落などの事故を起こしやすいので、釣竿は折り畳んでザックなどに固定しておく必要がある。
釣竿を身の周りに保持するホルダーとしては、例えば特許文献１の釣竿ホルダーが知られている。この釣竿ホルダーは、釣竿の竿尻側が挿入される有底の筒体と、この筒体を身体に固定するためのバンドとを備えた、釣り竿を定位置に保持するホルダーである。
【特許文献１】特開２００１−１４８９９０号公報
【考案の開示】
【考案が解決しようとする課題】
【０００３】
しかしながら、特許文献１の釣竿ホルダーは、釣り人本人の周辺部に竿を立てたままで餌の取り替え作業などを行うことができるように、ホルダーの筒体を上向きに立てて身体に固定するものであるため、不安定な岩場などの歩行には釣竿が邪魔となって不適であるという問題がある。
【０００４】
本考案の目的は、杖、釣竿、ストックなどの棒状体を確実、迅速、簡易かつ容易に収納して腰のバンドに装着でき、かつ棒状体の取り外しも迅速かつ簡単に行なえて、両手を自由に使用することのできるホルダーを提供することである。
【課題を解決するための手段】
【０００５】
前記目的を達成するため、本考案は、次の（１）〜（１０）である。
（１）  両端面同士を互いに着脱可能とする留具を有する折り曲げ自在の面材を両端面が重なり合うように内側に三つ折りしてなる両側端開放中空状の棒状体用収納部と、該棒状体用収納部の外面をなす面材外面に固設したバンドへの係止部とを備えてなり、前記棒状体用収納部が、留具を互いに着脱して両端面を開閉可能とすることにより、両側端開放中空状の面材の内側に棒状体を収納し、かつ、離脱させることができるように構成したこと、を特徴とするホルダー。
（２）  両端面同士を互いに着脱可能とする留具及び中間に位置する端面と中央面のそれぞれの一部を互いに着脱可能とする留具を有する折り曲げ自在の面材を、両端面が重なり合うように内側に三つ折りしてなる２つの両側端開放中空状の棒状体用収納部と、該棒状体用収納部の外面をなす面材外面に固設したバンドへの係止部とを備えてなり、前記の２つの棒状体用収納部が、両端面の留具及び中間に位置する端面と中央面の留具を互いに着脱して両端面を開閉可能とすることにより、両端面間の両側端開放中空状の空間及び中間に位置する端面と中央面との間の両側端開放中空状の空間にそれぞれ棒状体を収納し、かつ、離脱させることができるように構成したこと、を特徴とするホルダー。
（３）  前記のバンドへの係止部が、棒状体用収納部の外面をなす面材外面に、棒状体がバンドに対して傾斜した状態で収納部に収納されるように固設された係止部である、前記（１）又は（２）のホルダー。
（４）  前記のバンドへの係止部が、棒状体用収納部の外面をなす面材の中央面の外面に、棒状体がバンドに対して傾斜した状態で収納部に収納されるように固設されたバンド通し部である、前記（１）又は（２）のホルダー。
（５）  前記留具が一対の面ファスナーである、前記（１）〜（４）のいずれかのホルダー。
（６）  前記留具が雄と雌で一対をなすホックである、前記（１）〜（４）のいずれかのホルダー。
（７）  前記収納部の内面に、更に滑り止めシートを設けてなる、前記（１）〜（６）のいずれかのホルダー。
（８）  前記棒状体が杖である、前記（１）〜（７）のいずれかのホルダー。
（９）  前記棒状体が釣竿である、前記（１）〜（７）のいずれかのホルダー。
（１０）  前記棒状体がストックである、前記（１）〜（７）のいずれかのホルダー。
【考案の効果】
【０００６】
本考案により初めて、杖、釣竿、ストックなどの棒状体を確実、迅速、簡易かつ容易に収納して腰のバンドに装着でき、かつ棒状体の取り外しも迅速かつ簡単に行なえて、両手を自由に使用することのできるホルダーを提供することが可能となった。
【考案を実施するための最良の形態】
【０００７】
以下、本考案の実施の形態を図面に基づいて説明する。
図２及び３は、本考案の第１実施例の釣竿用ホルダーを示すものであって、図２はその開閉する状況を示す外観斜視図であり、図３はその開放状態を外面側から見た外観斜視図である。
【０００８】
図２及び３に示す本考案の第１実施例の釣竿用ホルダー１は、釣竿用収納部４と、バンド通し部５とを備えてなる基本構成である。釣竿用収納部４は、第１の釣竿用収納部４−１と第２の釣竿用収納部４−２からなる。
【０００９】
釣竿用収納部４（４−１、４−２）は、長方形の皮革を両端面２ａ、２ｃ（同士）が重なり合うように内側に三つ折りして、両側端が開放した中空状となっている。本実施例における皮革以外に、折り曲げ自在の面材（平面状材料）としては、厚手の布地などが挙げられる。
両端面２ａ、２ｃにはそれぞれ、留具３として雄と雌で一対をなす金属製ホック３ａ、３ｂが設けられており、端面２ａと端面２ｃを互いにくっつけたり外したりして、釣竿用収納部４−１、４−２の内側にそれぞれ釣竿７を１本ずつ収容する。すなわち、端面２ａには、雌の金属製ホック３ｂが２つ固設されており、端面２ｃには、端面２ａと端面２ｃを互いに密着させたとき、端面２ａの２つのホック３ｂそれぞれに対応する位置に、雄の金属製ホック３ａが２つ固設されている。
更に、端面２ｃ（の一部）に雌の金属製ホック３ｂ′が固設されており、端面２ｃと中央面２ｂを互いに密着させたとき、端面２ｃのホック３ｂ′に対応する中央面２ｂの（一部）位置に雄の金属製ホック３ａ′が固設されており、端面２ｃと中央面２ｂのそれぞれ（の一部同士）を互いにくっつけたり外したりすることができる。
釣竿用収納部４（４−１、４−２）はいずれも、（縮めて短くした比較的細い）釣竿７をそれぞれ内側に収容できる大きさで両側端が開放した中空状である。第１の釣竿用収納部４−１は、長方形の皮革を両端面２ａ、２ｃ（同士）が重なり合うように内側に三つ折りして、端面２ｃと中央面２ｂの間に、（端面２ｃの）ホック３ｂ′と（中央面２ｂの）ホック３ａ′を互いにくっつけたり外したりして形成されるものであり、第２の釣竿用収納部４−２は、端面２ａと端面２ｃの間に、（端面２ａの２つの）ホック３ｂと（端面２ｃの２つの）ホック３ａを互いにくっつけたり外したりして形成されるものである。つまり、中空状の収納部４−１、４−２の両側端はいずれも開放されており、図１に示すように、収納部４−１、４−２の内側にそれぞれ、２本の釣竿７を１本ずつ確実に収容することができる。
【００１０】
バンド通し部５は、釣竿用収納部４の外面をなす皮革の（中央面２ｂ）外面に、（小）長方形の皮革の両端が固定されて、その両端が固定された皮革と収納部４の皮革（中央面２ｂ）外面との間に、バンド９を通す程度の空間（スペース）が形成されたものである。バンド通し部５は、収納部４の開放両側端同士を結ぶ線に対して、バンド通し部５に通したバンド９がほぼ３０〜６０度となるように固設されている。そのため、本考案の第１実施例の釣竿用ホルダーに釣竿７を収納して腰のバンド９に装着すると、釣竿７が（立った状態の）身体の側面の腰に斜め前上方から斜め後下方にほぼ３０〜６０度傾斜した状態で収納部４に収納される（図１参照）。
【００１１】
次に、本考案の第１実施例の釣竿用ホルダー１の使用方法について、図１を参照して説明する。図１は、本考案の第１実施例の釣竿用ホルダーの使用状況を示す図面である。
まず、腰の（ズボン）バンド９にバンド通し部５を通して釣竿用ホルダー１を取り付ける。次いで、端面２ａをバンド９（つまり身体）から離れるように手で引っ張って端面２ｃの雄の金属製ホック３ａから端面２ａの雌の金属製ホック３ｂを外して、第２の釣竿用収納部４−２を開き、更に、端面２ｃをバンド９（つまり身体）から離れるように手で引っ張って中央面２ｂの雄の金属製ホック３ａ′から端面２ｃの雌の金属製ホック３ｂ′を外して、第１の釣竿用収納部４−１を開く（図２参照）。
１本目の釣竿７を第１の釣竿用収納部４−１の内側に収容して、中央面２ｂの雄の金属製ホック３ａ′に端面２ｃの雌の金属製ホック３ｂ′をくっつけて、端面２ｃを中央面２ｂに固定し、更に、２本目の釣竿７を第２の釣竿用収納部４−２の内側に収容して、端面２ｃの雄の金属製ホック３ａに端面２ａの雌の金属製ホック３ｂをくっつけて、端面２ａを端面２ｃに固定する（図１及び２参照）。
その結果、渓流釣り人は、２本の釣竿７を釣竿用ホルダー１の釣竿用収納部４（４−１、４−２）にそれぞれ収納し腰の（ズボン）バンド９に固定して、両手をいつでも自由に使用できる状態で不安定な岩場などを通過することができる。
なお、２本の釣竿７及び釣竿用ホルダー１の（ズボン）バンド９からの取り外しは、前記操作手順を逆に行うことによって迅速かつ簡単に行うことができる。
【００１２】
図５及び６は、本考案の第２実施例のストック用ホルダーを示すものであって、図５はその開閉する状況を示す外観斜視図であり、図６はその開放状態を外面側から見た外観斜視図である。
【００１３】
図５及び６に示す本考案の第２実施例のストック用ホルダー１′は、ストック用収納部４′と、バンド通し部５とを備えてなる基本構成である。
【００１４】
ストック用収納部４′は、長方形の皮革を両端面２ａ、２ｃ（同士）が重なり合うように内側に三つ折りして、両側端が開放した中空状となっている。
両端面２ａ、２ｃにはそれぞれ、留具である面ファスナー（平面同士で着脱するファスナー）としてマジックテープ（登録商標）の一方と他方３ａ″、３ｂ″がそれぞれ設けられており、端面２ａと端面２ｃを互いにくっつけたり外したりして、ストック用収納部４′の内側にストック８を収容する。すなわち、端面２ａ（の内側）には、マジックテープ（登録商標）の一方３ａ″が固設されており、端面２ｃ（の外側）には、端面２ａと端面２ｃを互いに密着させたとき、端面２ａ（の内側）のマジックテープ（登録商標）の一方３ａ″に対応する位置に、マジックテープ（登録商標）の他方３ｂ″が固設されている。
ストック用収納部４′は、ストック８を内側に収容できる大きさで両側端が開放した中空状である。つまり、中空状の収納部４′の両側端はいずれも開放されており、図４に示すように、収納部４′の内側にストック８を収容することができる。
更に、ストック用収納部４′の内側には、滑り止めシート６が設置されている。
バンド通し部５は、第１実施例の釣竿用ホルダー１におけるものと同じである。
【００１５】
次に、本考案の第２実施例のストック用ホルダー１′の使用方法について、図４を参照して説明する。図４は、本考案の第２実施例のストック用ホルダーの使用状況を示す図面である。
まず、腰の（ズボン）バンド９にバンド通し部５を通してストック用ホルダー１′を取り付ける。次いで、端面２ａをバンド９（つまり身体）から離れるように手で引っ張って端面２ｃのマジックテープ（登録商標）の他方３ｂ″から端面２ａのマジックテープ（登録商標）の一方３ａ″を外して、収納部４′を開く（図５参照）。
ストック８を収納部４′の内側に収容して、端面２ｃ（の外側）のマジックテープ（登録商標）の他方３ｂ″に端面２ａ（の内側）のマジックテープ（登録商標）の一方３ａ″をくっつけて、端面２ａを端面２ｃに固定する（図４及び５参照）。
その結果、登山者は、ストック８をストック用ホルダー１′に収納し腰の（ズボン）バンド９に固定して、両手をいつでも自由に使用できる状態で不安定な岩場などを通過することができる。
なお、ストック８及びストック用ホルダー１′の（ズボン）バンド９からの取り外しは、前記操作手順を逆に行うことによって迅速かつ簡単に行うことができる。
【００１６】
本考案の第３実施例の杖用ホルダーの構成は前記第２実施例のストック用ホルダー１′のそれと同じであるが、ストック用ホルダー１′において、その収納部がストックの代わりに杖を収容するものである（図面省略）。
【図面の簡単な説明】
【００１７】
【図１】本考案の第１実施例の釣竿用ホルダーの使用状況を示す図面である。
【図２】本考案の第１実施例の釣竿用ホルダーの開閉する状況を示す外観斜視図である。
【図３】本考案の第１実施例の釣竿用ホルダーの開放状態を外面側から見た外観斜視図である。
【図４】本考案の第２実施例のストック用ホルダーの使用状況を示す図面である。
【図５】本考案の第２実施例のストック用ホルダーの開閉する状況を示す外観斜視図である。
【図６】本考案の第２実施例のストック用ホルダーの開放状態を外面側から見た外観斜視図である。
【符号の説明】
【００１８】
１  釣竿用ホルダー
１′  ストック用ホルダー
２  面材
２ａ、２ｃ  端面
２ｂ  中央面
３  留具
３ａ、３ａ′  金属製ホックの雄
３ｂ、３ｂ′  金属製ホックの雌
３ａ″、３ｂ″  マジックテープ（登録商標）の一方と他方
４  釣竿用収納部
４−１  第１の釣竿用収納部
４−２  第２の釣竿用収納部
４′  ストック用収納部
５  バンド通し部
６  滑り止めシート
７  釣竿
８  ストック
９  バンド
【図１】
0003116038.tif 000003
【図２】
0003116038.tif 000004
【図３】
0003116038.tif 000005
【図４】
0003116038.tif 000006
【図５】
0003116038.tif 000007
【図６】
0003116038.tif 000008